(57)【要約】    【課題】踏み代の確保が容易であると共に、意匠性の向上が容易となる構造の建設機械用のステップおよび建設機械を提供する。    【解決手段】ステップ本体１４の踏み面１４ｂの先端より一部を水平に突出させてステップ本体１４に固定された補助板１５を設ける。補助板１５により広い踏み代ｂを得ることができるため、縦壁１４ａを傾斜させる意匠性に優れたステップを得ることができる。また、縦壁１４ａを垂直あるいは垂直に近い傾斜面に形成した場合には、下の段１３の踏み面１３ｂの踏み代を大きくとることができる。【選択図】図４
2005098013.tif 000002
【特許請求の範囲】
【請求項１】
建設機械の車体に設けられるステップにおいて、
ステップ本体の踏み面の先端より一部を水平に突出させてステップ本体に固定された補助板を設けたことを特徴とするステップ。
【請求項２】
請求項１に記載のステップにおいて、
前記補助板は、前記踏み面より突出した部分より折り曲げて形成された曲成部を有し、該曲成部がステップ本体の縦壁に固定されたことを特徴とするステップ。
【請求項３】
請求項１または２に記載のステップにおいて、
前記補助板は、踏み面を覆う滑り止め板を兼ねていることを特徴とするステップ。
【請求項４】
請求項１から３までのいずれかに記載のステップにおいて、
前記ステップ本体の踏み面と、前記補助板の該踏み面より突出した突出幅とにより、必要な踏み代を確保したことを特徴とするステップ。
【請求項５】
請求項１から４までのいずれかに記載のステップにおいて、
前記ステップ本体は、建設機械の構成部品としての機器類または付属品等を収容する箱を構成することを特徴とするステップ。
【請求項６】
請求項１から５までのいずれかに記載のステップを備えたことを特徴とする建設機械。
【発明の詳細な説明】
【技術分野】
【０００１】
本発明は、油圧ショベルやクレーンあるいはその応用機械等の建設機械の車体に設置されて作業員やオペレータの昇降を容易にするステップおよびそのステップを備えた建設機械に係わり、特にその踏み面の構成に関する。
【背景技術】
【０００２】
油圧ショベルやクレーンあるいはこれらの応用機械のような建設機械においては、車体上に搭載されるパワーユニットの点検や、燃料タンクへの給油などのため、特許文献１に記載のように、ステップが設けられる。
【０００３】
【特許文献１】特開２０００−２４０１０２号公報
【発明の開示】
【発明が解決しようとする課題】
【０００４】
従来のステップは、踏み面の先端に縦壁の頂部が接合された構造を有している。したがって、狭い場所で踏み面の幅（踏み代）を確保しようとすると、設計が容易でないという問題点がある。特に意匠性（外観）の向上のため、前記縦壁の下方が突き出すように傾斜した形状に形成しようとすると、踏み代が狭くなり、このような意匠性の向上を図った構造の実現が難しい。
【０００５】
本発明は、上記問題点に鑑み、踏み代の確保が容易であると共に、意匠性の向上が容易となる構造のステップおよび建設機械を提供することを目的とする。
【課題を解決するための手段】
【０００６】
（１）本発明のステップは、建設機械の車体に設けられるステップにおいて、
ステップ本体の踏み面の先端より一部を水平に突出させてステップ本体に固定された補助板を設けたことを特徴とする。
【０００７】
（２）また、本発明のステップは、前記（１）に記載のステップにおいて、
前記補助板は、前記踏み面より突出した部分より折り曲げて形成された曲成部を有し、該曲成部がステップ本体の縦壁に固定されたことを特徴とする。
【０００８】
（３）また、本発明のストッパは、前記（１）または（２）に記載のステップにおいて、
前記補助板は、踏み面を覆う滑り止め板を兼ねていることを特徴とする。
【０００９】
（４）また、本発明のステップは、前記（１）から（３）までのいずれかに記載のステップにおいて、
前記ステップ本体の踏み面と、前記補助板の該踏み面より突出した突出幅とにより、必要な踏み代を確保したことを特徴とする。
【００１０】
（５）また、本発明のステップは、前記（１）から（４）までのいずれかにおいて、
前記ステップ本体は、建設機械の構成部品としての機器類または付属品等を収容する箱を構成することを特徴とする。
【００１１】
（６）本発明の建設機械は、前記（１）から（５）までのいずれかに記載のステップを備えたことを特徴とする。
【発明の効果】
【００１２】
本発明のステップは、ステップ本体の踏み面より水平に突出させた部分を有する補助板を設けたため、前壁を傾斜させた構造にしても、必要とされる踏み面を容易に確保することができ、意匠性に優れたステップが実現できる。また、前壁が垂直である場合、あるいは前壁の傾斜が小さい場合には、補助板の下に、下の段の踏み代を得ることができ、狭い設置スペースのところに複数段のステップを容易に構成することができる。
【発明を実施するための最良の形態】
【００１３】
図１、図２はそれぞれ本発明によるステップを備えた建設機械の一例を示す平面図および右側面図、図３はそのフロントアタッチメントを省略して示す左側面図である。この建設機械はホイール式油圧ショベルについて例示するものであり、ホイール式走行体１上に旋回装置２を介して旋回体（車体）３を設置し、旋回体３上に油圧パワーユニット４、運転室５、カウンタウエイト６等を搭載すると共に、バケット７ａと多関節アーム７ｂからなるフロントアタッチメント７を取付けてなる。
【００１４】
前記油圧パワーユニット４はエンジン、油圧ポンプ、発電機、二次電池、油タンク、燃料タンク、ラジエータ等を含み、これらは開閉可能な蓋状部分を有するカバー（建屋）により覆われており、燃料タンク９への給油やエンジン等の点検のため、旋回体３の右前方に設けたステップ１０からカバーの上面部に昇降できるようになっている。なお、本実施の形態にいては、ステップ本体１３は、フレーム３ａとの間に設けられる空間部を開閉する上蓋を構成しており、この空間部は、メンテナンス用の工具類および油脂類を収容する付属品室となっている。また、ステップ本体１４は、内部にバルブ類などの油圧機器を収容した機器収容室となっている。
【００１５】
図４（Ａ）、（Ｂ）、（Ｃ）はそれぞれ前記ステップ１０の平面図、側面図、正面図である。図４において、３ａは旋回体３のフレームであり、９は燃料タンクである。ステップ１０は、燃料タンク９ないしはその後部のカバー上面への昇降を容易にするために設けられる。１１、１２は旋回体フレーム３ａに取付けられた手摺であり、ステップ１０に昇降する際に作業員が把持するものである。
【００１６】
前記ステップ１０は２段に構成され、各段のステップ本体１３、１４の縦壁１３ａ、１４ａは下方が前方に突出するように傾斜した傾斜面に形成している。第２段のステップの踏み面１４ｂには補助板１５が取付けられる。
【００１７】
図５（Ａ）、（Ｂ）、（Ｃ）はそれぞれ前記補助板１５の平面図、側面図、正面図である。該補助板１５は、ステップ本体１４の踏み面１４ｂを覆う構造を有する。すなわち、図４（Ｂ）に示すように、ステップ本体１４の踏み代ａより大きな踏み代ｂを有し、補助板１５の一部がステップ本体１４の踏み面１４ｂの先端より一部１５ａが水平にｃに示す幅だけ突出した構造でボルト１６により取付けられる。なお、この補助板１５の取付けは溶接により行なってもよい。
【００１８】
補助板１５は単に水平板状に構成してもよいが、本実施の形態においては、前端より折り返し状に折り曲げ、その折り曲げ部１５ｂの先端１５ｃをさらにステップ本体１４の縦壁１４ａに沿う形状に折り曲げ、その部分１５ｃを前記縦壁１４ａにボルト１７により固定して取付け強度を高めている。また、該補助板１５は、その踏み面１５ｄに凹凸を設けることにより、滑り止め板の役目を兼ねさせている。
【００１９】
このように、ステップ本体１４の踏み面１４ｂより一部が水平に突出するような補助板１５を設けた構造とすれば、縦壁１４ａを傾斜させた構造にしても、必要とされる踏み代を容易に確保することができ、意匠性に優れたステップが実現できる。
【００２０】
なお、図４の例では補助板１５の端部をステップ本体１４の踏み面１４ｂの端部に一致させた場合について示したが、多少、補助板１５を踏み面１４ｂより突出方向にずらしてもよく、その場合、ステップ本体の踏み面の踏み代ａと、前記補助板１５の該踏み面より突出した突出幅ｃを所定の寸法に設定することにより、必要な踏み代ｂ（ｂ＝ａ＋ｃ）を確保することができる。
【００２１】
図６（Ａ）、（Ｂ）、（Ｃ）はそれぞれ本発明によるステップの他の実施の形態を示す平面図、側面図、正面図である。本実施の形態においては、ステップ本体１４の前壁１４ａを垂直に形成したものであり、補助板１５は前記同様に一部１５ａがステップ本体１４の踏み面１４ｂより突出した構造で取付けられる。この場合、第１段目の踏み面１３ｂは補助板１５の前記突出部１５ａの幅ｃの下に想到する部分が踏み面として利用できるから、踏み面１３ｂを広く確保することができる。換言すれば、狭いスペースであっても、踏み代を容易に確保することができる。
【００２２】
上記実施の形態においては、旋回体３上の運転室５の反対側に設けるステップ１０について示したが、本発明は、運転室に昇降するためのステップ等にも利用することができる。また本発明は、油圧ショベルのみならず、ローダショベル、クレーンあるいはこれらの応用機械に用いることができる。
【図面の簡単な説明】
【００２３】
【図１】本発明によるステップを用いる建設機械の一例を示す平面図である。
【図２】図１の右側面図である。
【図３】図１、図２の建設機械を、フロントアタッチメントを省略して示す左側面図である。
【図４】（Ａ）、（Ｂ）、（Ｃ）はそれぞれ本実施の形態のステップを示す平面図、側面図、正面図である。
【図５】（Ａ）、（Ｂ）、（Ｃ）はそれぞれ図４のステップに用いる補助板を示す平面図、側面図、正面図である。
【図６】（Ａ）、（Ｂ）、（Ｃ）はそれぞれ本発明のステップの他の実施の形態を示す平面図、側面図、正面図である。
【符号の説明】
【００２４】
１：走行体、２：旋回装置、３：旋回体、３ａ：旋回体フレーム、４：油圧パワーユニット、５：運転室、６：カウンタウエイト、７：フロントアタッチメント、９：燃料タンク、１０：ステップ、１１、１２：手摺、１３、１４：ステップ本体、１３ａ、１４ａ：縦壁１３ｂ、１４ｂ：踏み面、１５：補助板、１５ａ：突出部、１５ｂ：折り曲げ部、１５ｃ：取付け部
【図１】
2005098013.tif 000003
【図２】
2005098013.tif 000004
【図３】
2005098013.tif 000005
【図４】
2005098013.tif 000006
【図５】
2005098013.tif 000007
【図６】
2005098013.tif 000008